(57)【要約】【課題】  各端末局に個別番号及びグループ番号を持たせ、信号フォーマット内に該番号を割り当てることにより、同期確立直後の信号により音声またはデータを出力することを可能にする無線通信システムを提供することを目的とする。  また、通信途中に参入した端末局でもセレコール通信に途中参入することを可能にする無線通信システムを提供することを目的とする。【解決手段】無線通信を行うための少なくとも１つの基地局と、該基地局の通信エリア内に存在する少なくとも１つの端末局で構成されるセレコール通信が可能な無線通信システムであって、前記基地局より通信される同期確立を行う信号の所定の部分に予め定められた前記端末局の個別番号とグループ番号を設定し、これを受信した前記少なくとも１つの端末局は、同期確立を行い、且つ前記設定された個別番号またはグループ番号によるセレコール通信を開始することを特徴とする無線通信システム。【選択図】図１
2006270154.tif 000002
【特許請求の範囲】
【請求項１】
無線通信を行うための少なくとも１つの基地局と、
該基地局の通信エリア内に存在する少なくとも１つの端末局で構成されるセレコール通信が可能な無線通信システムであって、
前記基地局より通信される同期確立を行う信号の所定の部分に予め定められた前記端末局の個別番号とグループ番号を設定し、
これを受信した前記少なくとも１つの端末局は、同期確立を行い、且つ前記設定された個別番号またはグループ番号によるセレコール通信を開始することを特徴とする無線通信システム。
【請求項２】
前記基地局より送信される同期確立を行う信号の所定の部分は、
当該同期確立信号を含む予め定められた信号フォーマットのユーザ設定領域であることを特徴とする前記請求項１に記載の無線通信システム。
【請求項３】
少なくとも１つの基地局と、
該基地局の通信エリア内に存在する少なくとも１つの端末局で構成される無線通信方法であって、
該無線通信方法は、前記端末局に個別番号とグループ番号を設定する第一のステップと、
前記基地局が前記第一のステップにより設定された前記個別番号またはグループ番号を発信する信号の所定の部分に設定する第二のステップと、
前記第二のステップにより設定された信号を通報するステップとよりなることを特徴とする無線通信方法。
【発明の詳細な説明】
【技術分野】
【０００１】
本発明は、基地局装置と端末局装置とが無線により通信する無線通信システムに関し、特に空線信号を用いて、通話管理を効率的に行う無線通信システムに関する。
【背景技術】
【０００２】
無線通信を行う方式の一つとして、例えばSCPC（Single Channel Per Carrier system）狭帯域デジタル移動無線通信システムがある。
従来のSCPC狭帯域デジタル移動無線通信システムでは、基地局装置と端末局装置との間で無線により通信することが行われている。
通常、このような基地局装置では、例えば端末局装置との通信回線を確立するために所定の空線信号を常時無線送信しており、また端末局では基地局装置からの空線信号に基づいて最適な基地局を選択して所定の空線信号を基地局に対し無線送信することが行われている。
また、このような無線通信システムでは基地局装置が指定した1つまたは複数の端末局装置に対し音声またはデータを送出するセレコール通信が行われている。
【０００３】
従来の無線通信方式に関する技術として例えば特許文献１がある。
【０００４】
【特許文献１】特開２００１−３１３９８１号公報
【発明の開示】
【発明が解決しようとする課題】
【０００５】
上記従来の無線通信システムでは同期確立後に音声を出力するまで必ず1フレーム待たなければいけないという問題点がある。また、セレコール通信途中で参入した端末局は、何処宛の通信か判断出来ず、通信への途中参入が出来ないという問題点がある。
【０００６】
本発明は上記の問題点について鑑み、各端末局に個別番号及びグループ番号を持たせ、信号フォーマット内にその番号を割り当てることにより、同期確立直後の信号により音声またはデータを出力することを可能にする無線通信システムを提供することを目的とする。
また、信号フォーマット内にその番号を割り当てることにより、通信途中に参入した端末局でもセレコール通信に途中参入することを可能にする無線通信システムを提供することを目的とする。
【課題を解決するための手段】
【０００７】
上記問題点を解決するため請求項１に記載の発明は、無線通信を行うための少なくとも１つの基地局と、該基地局の通信エリア内に存在する少なくとも１つの端末局で構成されるセレコール通信が可能な無線通信システムであって、
前記基地局より通信される同期確立を行う信号の所定の部分に予め定められた前記端末局の個別番号とグループ番号を設定し、これを受信した前記少なくとも１つの端末局は、同期確立を行い、且つ前記設定された個別番号またはグループ番号によるセレコール通信を開始することを特徴とする。
【０００８】
上記問題点を解決するため請求項２に記載の発明は、前記請求項１に記載の無線通信システムであって、
前記基地局より送信される同期確立を行う信号の所定の部分は、当該同期確立信号を含む予め定められた信号フォーマットのユーザ設定領域であることを特徴とする。
【０００９】
上記問題点を解決するため請求項３に記載の発明は、少なくとも１つの基地局と、該基地局の通信エリア内に存在する少なくとも１つの端末局で構成される無線通信方法であって、
該無線通信方法は、前記端末局に個別番号とグループ番号を設定する第一のステップと、
前記基地局が前記第一のステップにより設定された前記個別番号またはグループ番号を発信する信号の所定の部分に設定する第二のステップと、前記第二のステップにより設定された信号を通報するステップとよりなることを特徴とする。
【発明の効果】
【００１０】
本発明により、各端末局に個別番号及びグループ番号を持たせ、信号フォーマット内にその番号を割り当てることにより、同期確立直後の信号より音声またはデータを出力することを可能にする無線通信方式を提供することができる。
また、信号フォーマット内にその番号を割り当てることにより、通信途中に参入した端末局でもセレコール通信に途中参入することを可能にする無線通信方式を提供することができる。
【発明を実施するための最良の形態】
【００１１】
本発明の実施の形態について図面を参照しながら説明する。
図３は無線通信システムの信号フォーマットを示した図である。
通常通信に用いられる無線チャネルは、それぞれフレームフォーマットの異なる通信用チャネルSC（Service Channel）と同期バーストSB０（Synchronous Burst０）からなる。
図３に示すSCとSB０の信号フォーマットにおいて、LP+Rはリニアライザ用プリアンブル及びバースト過渡応答用ガードタイム、Pa及びPbはプリアンブル、TCHはトラヒックチャネル、RIは無線情報チャネル、SWは同期ワード、Bはバースト識別ビット、Gはガードタイムである。
SCとは、ユーザが通信のために使用する双方向チャネルであり、トラヒックチャネル（TCH：Traffic Channel）及び無線情報チャネル（RICH：Radio Information Channel）からなる。SB０とは、割り当てられた無線チャネルにおける通信時にTCHの前に取り交わされるバーストデータであり、パラメータ情報チャネル（PICH：Parameter Information Channel）及びRICHからなる。
RICHはSC及びSB０全ての無線チャネル上に配置され、無線チャネル構造、動作モード、通信モードなどのチャネル情報を転送するために使われ、必要に応じてユーザ情報を転送するためにも使用される。TCHは、ユーザ情報を転送する双方向チャネルで、音声情報等が転送される。PICHは、同期バーストに付随してユーザ固有の情報等を転送する機能チャネルである。
【００１２】
通信開始時は、SB０を数回連送して受ける側の同期を確立させたあと、SCに移行した最初のフレームのTCHをスチールして呼び出したい個別番号、及びグループ番号を設定して送信し、受信した端末局は自局あての通信と認識した場合のみ次フレーム以降に受信した音声またはデータを外部に出力する。
【００１３】
図２は本発明の実施の形態である無線通信システムの一例を示す図である。
通常SCPC通信方式は、１つの無線キャリアが1つの通信チャネルに対応し、単身プレストーク通信を基本とした比較的簡易なシステムであり、１基地局あたり１通信チャネルでの通話サービスを基本とする。システムは、基地局２０１、端末局２０２-(a)、２０２-(b)、２０２-(c)、２０２-(d)、２０２-(e)、２０２-(f)、といった基地局設備及び端末局設備で構成され、基地局−端末局間、端末局−端末局間（基地局経由または端末局間直接）での通信が可能である。基地局２０１−端末局２０２-(a)間、基地局２０１経由の端末局２０２-(b)−端末局２０２-(c)間の通話チャネルは、周波数の異なる下り回線F1と、上り回線F2のペア波で構成される。端末局２０２-(d)と端末局２０２-(e)間の端末局直接通信の通話チャネルは、直接通信専用の周波数F3で構成される。
【００１４】
図４は基地局内部に記憶される各端末局に割り当てられた個別番号およびグループ番号のメモリテーブルの一例を示した図である。
図４に示すように、セレコール通信を行う場合には、まず予め各端末局に個別、グループ番号を付け、基地局にてこれらの番号を管理する。例えば図２において端末局２０２-(a)の個別番号を１、端末局２０２-(b)の個別番号を２、端末局２０２-(c)の個別番号を３、端末局２０２-(d)の個別番号を４、端末局２０２-(e)の個別番号を５、端末局２０２-(f)の個別番号を６とする。また、端末局２０２-(a)と端末局２０２-(f)のグループ番号を１、端末局２０２-(b)と端末局２０２-(c)のグループ番号を２、端末局２０２-(d)と端末局２０２-(e)のグループ番号を３とする。
【００１５】
さらに、個別の呼出が無い場合を個別番号０、グループの呼出が無い場合をグループ番号０と定義しておくことで、個別毎、グループ毎に呼出を行うことが可能になる。
例えば基地局が個別番号２、グループ番号を０と設定して通話開始した場合、端末局２０２-(b)のみに音声が聞こえ、また、個別番号０、グループ番号１と設定して通話開始した場合は、端末局２０２-(a)、及び端末局２０２-(f)で音声が聞こえることとなる。
【００１６】
図１は本発明の実施の形態である無線通信システムの信号フォーマットの一例である。
図１に記載されている各記号は前記従来技術図３に記載されているものと同一であるため説明は省略する。
まず各端末局に予め定められた個別、グループ番号を付ける。個々では従来例と同様に付けるとする。また、図３における信号フォーマットにおいて、SB０、SC双方の未定義部の部分に、図１に示すように個別番号、グループ番号を割り当てることとする。通信を行う際には、呼び出したい個別番号、及びグループ番号を設定して送信し、受信した端末局はSB０より自局あての通信と認識した場合のみSB０からSCに移行した直後からの音声またはデータを外部に出力する。また、通信途中に参入した端末局は、SCで同期確立させ、同時に復調したデータよりSC内の個別番号、及びグループ番号の設定値が自局あての通信と認識した場合は認識した直後からの音声またはデータを外部に出力する。このとき個別番号、グループ番号をSC内のTCH以外に割り当てることにより、常時音声データに影響を与えることなく通信が可能となる。
【００１７】
図５はSCPC通信を行う際の動作の一例を示したフローチャートである。
例えば図２において通信を行う場合には、通信を始める側がプレスONし（S１０１）、同時にSB０を数回連送して（S１０２）、通信を受ける側の同期を確立させたあと（S１０３）、SCにより音声通話またはデータ伝送を行う。
通常基地局側からの通信は、下り回線F2で同期確立した全ての端末局に音声送出、またはデータ伝送される。つまり、基地局２０１経由の端末局２０２-(b)−端末局２０２-(c)間の通話は、下り回線F2で同期確立した端末局２０２-(a)や、端末局２０２-(d)にも聞こえるということになる。
【００１８】
上記本発明の実施の形態によれば、各端末局に個別番号及びグループ番号を持たせ、信号フォーマットSB０内にその番号を割り当てることにより、同期確立直後のSCより音声またはデータを出力することが可能となる。また、信号フォーマットSC内にその番号を割り当てることにより通信途中に参入した端末局でもセレコール通信に途中参入することが可能となる。
すなわち、１つ以上の基地局と１つ以上の端末局を有し、単信プレストーク通信を基本としたSCPC通信方式を使用したデジタル無線システムであり、基地局からの通話またはデータをある特定のグループまたは特定の端末局のみに聞かせるまたは表示させるセレコール通信を有した通信方式において、上記基地局と上記特定のグループまたは端末局でセレコール通信中に上記特定のグループまたは端末局である端末局が途中参入した場合でもセレコール通信に参加することが可能となる。
【００１９】
また、上記本発明の実施の形態では、各端末局が持つ個別番号とグループ番号は、予め各端末局に付与されているとしたが、任意の個別番号またはグループ番号に対して新たに個別番号及びグループ番号を基地局にて当該端末局に割り当てるとしても良い。
すなわち、前記基地局において通信用チャネルと同期バースト内に存在する未定義部分に各端末局の個別番号、グループ番号を重畳し、通信チャネル内に前記番号を割り当てることにより通信途中で参入した端末局であってもセレコール通信に加わることができ、また、同期バーストチャネルに前記番号を割り当てることにより同期確立直後の通信チャネルより音声やデータを出力することが可能となる。
【００２０】
また、上記本発明の実施の形態によれば、各端末局が持つ個別番号とグループ番号は図４に示すように基地局２０１が持つメモリテーブルに追加グループ番号を入力できるようにすることによって、任意の端末局を前記予め定められたグループ以外のグループに参入させ、グループ通信を行うことを可能としても良い。
【図面の簡単な説明】
【００２１】
【図１】本発明の実施の形態である無線通信システムの信号フォーマットの一例を示した図。
【図２】本発明の実施の形態である無線通信システムの一例を示した図。
【図３】無線通信システムの信号フォーマットを示す図。
【図４】基地局内部に記憶される、各端末局に割り当てられた個別番号およびグループ番号のメモリテーブルの一例を示した図。
【図５】SCPC通信の動作の一例を示したフローチャート。
【符号の説明】
【００２２】
２０１・・・基地局
２０２−(a)・・・端末局
２０２−(b)・・・端末局
２０２−(c)・・・端末局
２０２−(d)・・・端末局
２０２−(e)・・・端末局
２０２−(f)・・・端末局
【図１】
2006270154.tif 000003
【図２】
2006270154.tif 000004
【図３】
2006270154.tif 000005
【図４】
2006270154.tif 000006
【図５】
2006270154.tif 000007